(57)【特許請求の範囲】
【請求項１】
データを記憶するディスク状媒体を回転駆動させるディスク駆動源と、
前記ディスク状媒体に対してデータの読み出し・書き込みを行うヘッドが装着され、回転軸を中心に回動するアクチュエータと、
前記ディスク駆動源および前記アクチュエータを収容する筺体と、を備え、
前記アクチュエータは、前記回動軸側から外周側に突出して同一円周上に位置する一対の受け部を有し、
前記一対の受け部間にて前記筺体側に固定されたストッパがさらに設けられたディスクドライブ装置において、
前記ストッパは、ストッパ上部に一方の前記受け部を吸着する磁石を内蔵し、
一方の前記受け部が当接する部分の厚みは、他方の前記受け部が当接する部分よりも薄く、
一方の前記受け部が当接する部分の下に張り出し部を有することを特徴とする磁気ディスク装置。
【請求項２】
前記アクチュエータに設けられたコイルと、前記筐体側に固定され、前記コイルと共働してボイスコイルモータを構成するステータと、をさらに備え、前記ストッパは前記ステータに固定されていることを特徴とする請求項１記載の磁気ディスク装置。
【請求項３】
前記ストッパは、前記ディスク状媒体の外周側への前記磁気ヘッドの回動を規制する外周側規制部と、当該ディスク状媒体の内側への前記磁気ヘッドの回動を規制する内周側規制部と、を一体に備えることを特徴とする請求項１記載の磁気ディスク装置。
【請求項４】
前記外周側規制部は、前記一方の受け部に対し面で接触し、前記内周側規制部は、前記他方の受け部に対し点あるいは線状に接触することを特徴とする請求項１記載の磁気ディスク装置。
【請求項５】
前記磁気ヘッドを前記ディスク状媒体から退避させた状態で保持するランプをさらに備え、前記ストッパは、前記磁気ヘッドが前記ランプに保持させた状態で保持された状態で前記アクチュエータを固定する磁石を備えることを特徴とする請求項１記載の磁気ディスク装置。
【請求項６】
前記ストッパは、前記ステータに固定される固定部と、前記アクチュエータが回動したときに前記回動範囲の端部にて前記アームが当接する当接部と、を有することを特徴とする請求項１記載の磁気ディスク装置。
【請求項７】
データを記憶するディスク状媒体を回転駆動させるディスク駆動源と、
前記ディスク状媒体に対してデータの読み出し・書き込みを行うヘッドが装着され、回転軸を中心に回動するアクチュエータと、
前記ディスク駆動源および前記アクチュエータを収容する筺体と、を備え、
前記アクチュエータは、前記回動軸側から外周側に突出して同一円周上に位置する一対の受け部を有する磁気ディスク装置に用いられるアクチュエータのストッパであって、
前記一対の受け部間にて前記筺体側に固定され、
一方の前記受け部を吸着する磁石を内蔵し、
一方の前記受け部が当接する部分の厚みは、他方の前記受け部が当接する部分よりも薄く、
一方の前記受け部が当接する部分の下に張り出し部を有することを特徴とするストッパ。
【発明の詳細な説明】
【０００１】
【発明の属する技術分野】
本発明は、ディスクドライブ装置、ハードディスクドライブ等に関する。
【０００２】
【従来の技術】
コンピュータ装置におけるデータの主な格納先として、ハードディスクドライブが多用されているのは周知のとおりである。
図８は、ハードディスクドライブの構造の代表的な例を示すものである。この図に示すハードディスクドライブ１では、上部に開放した有底箱状のベース２と、このベース２の上部の開口を塞ぐカバー(図示無し)とによって、ディスクエンクロージャが構成されている。このディスクエンクロージャ内には、ベース２側に、ハブイン構造のスピンドルモータ３に支持された所定枚数の磁気ディスク４が備えられており、この磁気ディスク４はスピンドルモータ３によって所定の回転速度にて回転駆動される。
また、ベース２には、アクチュエータ５が設けられている。このアクチュエータ５は、中間部においてピボット６を介してベース２に回動自在に取り付けられている。このアクチュエータ５の先端部には、磁気ディスク４に格納されたデータを読み書きするための磁気ヘッド７が設けられている。またアクチュエータ５の後端部には、ボイスコイル８が設けられている。一方、ベース２には、ボイスコイル８と共働するステータ９が、ボイスコイル８に対向して設けられており、これらボイスコイル８とステータ９とによって、ボイスコイルモータが構成される。このボイスコイルモータは、ボイスコイル８に電流を供給することによってステータ９との間で生じる磁力を利用し、アクチュエータ５をピボット６回りに回動させる。
【０００３】
ところで、従来より、アクチュエータ５の回動範囲を磁気ディスク４の内周側、外周側のそれぞれで制限するためのストッパ１０、１１がベース２に取り付けられていた。アクチュエータ５の磁気ディスク４の内周側への回動を規制するストッパ１０は、磁気ディスク４をスピンドルモータ３に固定するトップクランプ１２にアクチュエータ５を接触させない機能、磁気ディスク４に対してサーボ情報を書き込む際にアクチュエータ５の所定の位置決め精度を確保する機能を有している。また、アクチュエータ５の磁気ディスク４の外周側への回動を規制するストッパ１１は、特に近年多用されているロード・アンロードタイプの場合、磁気ヘッド７を退避させた状態で保持するランプ１３を通り過ぎないようにする機能を有している。また、このストッパ１１は、ランプ１３上に磁気ヘッド７を静止させた状態を維持するため、マグネットを内蔵し、その磁力によってアクチュエータ５を引き付ける機能も備える。
【０００４】
従来、このようなストッパ１１は、ベース２に取り付け穴を形成し、ストッパ１１側に設けたピンをこの取り付け穴に挿入することによって固定したり、あるいはベース２にボス(突起)を形成し、ストッパ１１に形成した孔にこのボスを挿入することによって固定する構造が採用されていた。
ところで、特にアクチュエータ５の磁気ディスク４の内周側への回動を規制するストッパ１０は、高い精度でベース２に取り付ける必要があった。これは、磁気ヘッド７でサーボ情報を磁気ディスク４に書き込む際、アクチュエータ５をストッパ１０に当てた状態を書き込み基準の位置とするからである。近年の磁気ディスク４に対する記録の高密度化に伴ない、その位置決め精度はより高まる傾向にある。
このため、ストッパ１０のベース２に対する取り付け精度を高める必要があり、従来より、ベース２にストッパ１０の取り付け座面やボスを切削加工によって形成しているのが通常であった。
【０００５】
【発明が解決しようとする課題】
しかしながら、一般に鋳造されるベース２に対し、ストッパ１０の取り付け座面やボスを形成するために追加工することは、ハードディスクドライブの製造工程の効率化およびコスト低減の妨げとなる。また、ベース２に対し、２個のストッパ１０、１１を取り付けなければならないために、その手間がかかり、これも製造工程の効率化の妨げとなっている。加えて、近年、ハードディスクドライブの小型化が進んでおり、特に小型のハードディスクドライブにおいては、ストッパ１０、１１を取り付けるためのスペースの確保が困難な場合もある。
上記のような問題に対し、２個のストッパ１０、１１を連結して一体化するようなことも考えられるが、これでも全ての問題を解決できるわけではなく、スペースの問題、ベース２に対する取り付け精度を確保するための追加工の必要性等の問題は依然として残ることになる。
本発明は、このような技術的課題に基づいてなされたもので、製造工程の効率化、コスト低減、省スペース化等を図ることのできるディスクドライブ装置、ハードディスクドライブ等を提供することを目的とする。
【０００６】
【課題を解決するための手段】
かかる目的のもと、本発明のディスクドライブ装置は、ディスク状媒体に対してデータの読み出し・書き込みを行うヘッドが装着されたアクチュエータに、回動軸側から外周側に突出して同一円周上に位置する一対の受け部を備え、これら一対の受け部間にて筐体側に固定されたストッパを備えることを特徴とする。これにより、アクチュエータが回動すると、一対の受け部がストッパに当たることによって、アクチュエータの回動が規制される。これにより、ストッパは、一方の受け部に当たることによってアクチュエータの回動範囲の一端側を規制し、他方の受け部に当たることによって回動範囲の他端側を規制することになる。
また、一方の受け部がストッパに当たった状態でアクチュエータを固定する固定部材をストッパに一体に備えることもできる。これにより、ヘッドをディスク状媒体から退避させた状態で保持するランプを備える、いわゆるロード・アンロードタイプのディスクドライブ装置の場合、ヘッドをランプ状に位置させた状態を維持できる。なお、このような構成により、ロード・アンロードタイプでなくとも、アクチュエータの回動範囲の一端側でアクチュエータを固定することが可能となる。
なお、このようなディスクドライブ装置は、ハードディスクドライブであっても良いし、アクチュエータがディスク状媒体に沿って回動するものであれば他の種のディスクドライブ装置であっても良い。またディスク状媒体も、磁気ディスクに限るものではなく、光磁気ディスクやさらに他の種の記録ディスク等もその範疇に入る。
【０００７】
本発明にかかるハードディスクドライブは、ピボットを中心として回動することにより磁気ヘッドをディスク状媒体上でシークさせるアクチュエータと、このアクチュエータの回動範囲内に設けられ、磁気ヘッドのディスク状媒体の内周側に対するシーク範囲を規制する機能、および外周側に対するシーク範囲を規制する機能を兼ね備えたストッパと、を備えることを特徴とする。つまり、ストッパは、少なくとも二つの機能を兼ね備えるのである。
このためには、ストッパは、ディスク状媒体の内周側への磁気ヘッドの回動を規制する内周側規制部と、ディスク状媒体の外周側への磁気ヘッドの回動を規制する外周側規制部と、を一体に備えるのが好ましい。
さらに、アクチュエータに一対の受け部を形成し、この受け部にストッパを当接させることによってアクチュエータの回動を規制するのが好ましい。より具体的には、このようなストッパをアクチュエータの回動範囲内に設けるため、ボイスコイルモータのボイスコイルをアクチュエータで保持する一対のアームに、一対の受け部を形成するのが好ましい。
また、このハードディスクドライブが、磁気ヘッドをディスク状媒体から退避させた状態で保持するランプを備える場合、ストッパは、磁気ヘッドがランプに保持された状態でアクチュエータを固定する磁石を備えるのが好ましい。これにより、ストッパは、上記の二つの機能に加え、計三つの機能を兼ね備えることになる。
【０００８】
本発明を、ディスク状媒体に対してデータを読み書きするヘッドと、このヘッドをディスク状媒体上でシークさせるアクチュエータと、アクチュエータを回動中心周りに回動させるボイスコイルモータと、を備えるヘッド駆動装置として捉えることもできる。この場合、このヘッド駆動装置は、ヘッドのシークに際してアクチュエータの回動範囲を規制するストッパを備えることが特徴であり、さらには、アクチュエータに、ボイスコイルを支持するための一対のアームを備え、ストッパをこれらアクチュエータの一対のアーム間に位置するよう設けるのである。
ところで、このようなヘッド駆動装置は、いわゆるハードディスクドライブ等のディスク状媒体を内蔵するタイプのディスクドライブ装置に適用できるが、ディスク状媒体を自在に着脱できるタイプのディスクドライブ装置にも適用が可能である。
上記ストッパは、ボイスコイルモータを構成するステータに固定される固定部と、ステータから突出して、アクチュエータが回動したときに回動範囲の端部にてアームが当接する当接部と、を有する構成とすることができる。このような構成のストッパは、ステータに孔を形成しておき、固定部をこの孔に挿入することによってステータに固定することができる。これにより、ストッパをディスクドライブ装置の筐体側に固定する必要が無くなる。特に、ステータをプレス加工によって形成するのであれば、同時に孔をプレス加工してしまえば、ストッパを固定するための追加加工は不要となる。
ところで、ストッパには、一方のアームを吸着する磁石等の吸着部材を備えることができる。この場合、この一方のアームに対する吸着力を有効に発揮できるよう、ストッパに他方のアームが当接する部分よりも、一方のアームが当接する部分に近接するよう、吸着部材を配置するのが好ましい。
【０００９】
本発明は、ディスクドライブ装置を構成するディスク状媒体に沿ってヘッドをシークさせるアクチュエータの回動範囲を規制するストッパ単体として捉えることも可能である。その場合、このストッパは、柱状で、アクチュエータが回動範囲の一端側に到達したときに当接する部分と、アクチュエータが回動範囲の他端側に到達したときに当接する部分を有するストッパ部と、ストッパ部の軸線に沿って延出し、ストッパ部をディスクドライブ装置に対して固定する固定部と、アクチュエータが回動範囲の一端側に到達してストッパ部に当接したときにアクチュエータを吸着する磁石と、を一体に有する構成とする。
そして、ディスクドライブ装置側に形成した孔に、前記固定部を挿入することによってこのストッパを取り付けるのである。この場合、固定部は、側方に突出して孔からのストッパの抜けを防止する抜け防止部を形成するのが好ましい。
また、固定部に、先端に行くにしたがい細くなるテーパ部を形成すれば、孔への挿入を容易に行える。さらに、固定部の先端部に、固定部の軸線に沿って形成された凹部を形成すれば、ディスクドライブ装置側の孔に固定部を挿入するに際し、抜け防止部が形成されていたとしても凹部の内側への変形を許容することができ、挿入を容易に行える。
【００１０】
【発明の実施の形態】
以下、添付図面に示す実施の形態に基づいてこの発明を詳細に説明する。
図１は、本実施の形態におけるハードディスクドライブ(ディスクドライブ装置)２０を説明するための図である。以下の説明において、図８に示したハードディスクドライブ１と共通する構成については、同符号を付してその説明を省略する。
図１に示すように、本実施の形態におけるハードディスクドライブ２０では、上部に開放した有底箱状のベース２１と、このベース２１の上部の開口を塞ぐカバー(図示無し)とによって、ディスクエンクロージャ(筐体)２３が構成されている。
【００１１】
図２に示すように、このディスクエンクロージャ２３内には、ベース２１側に設けたハブイン構造のスピンドルモータ(ディスク駆動源：図示無し)上に、所定枚数の磁気ディスク(ディスク状媒体)４が積層され、トップクランプ１２によって固定されている。そして、これらの磁気ディスク４は、このスピンドルモータによって所定の回転速度にて回転駆動される。
【００１２】
さらに、ディスクエンクロージャ２３内には、アクチュエータ３０が設けられている。このアクチュエータ３０は、中間部においてピボット(回動軸)３１を介してベース２１に対して回動自在に取り付けられている。
図２に示すように、このアクチュエータ３０の先端部には、磁気ディスク４に格納されたデータを読み書きするための磁気ヘッド(ヘッド)３２が設けられている。
アクチュエータ３０の後端部には、ボイスコイル(コイル)３３が設けられている。このボイスコイル３３は、ピボット３１近傍から略放射線状に延びて略Ｖ字状をなした一対のコイル保持アーム(受け部、アーム)３４Ａ、３４Ｂ間に位置している。本実施の形態において、これらコイル保持アーム３４Ａ、３４Ｂは、例えばＰＰＳ(Polyphenylene Sulfide resins:熱可塑性エンジニアリングプラスチック)によって形成され、さらにコイル保持アーム３４Ａ、３４Ｂとその間のボイスコイル３３を一体にオーバーモールドした構成となっている。
【００１３】
また、図３に示すように、ベース２１には、アクチュエータ３０の後端部に設けられたボイスコイル３３との間で磁界を発生させるための上下一対のステータ４０Ｌ、４０Ｕが設けられており、これらボイスコイル３３とステータ４０Ｌ、４０Ｕとによって、アクチュエータ３０を回動させるボイスコイルモータが構成される。このような構成により、アクチュエータ３０は、ボイスコイルモータの駆動によってピボット３１を中心として回動し、磁気ヘッド３２が磁気ディスク４の略半径方向にシークして磁気ディスク４の目的のトラックに対向した位置に移動できるようになっている。
さらに、ベース２１には、ロード・アンロード方式を採用するハードディスクドライブ２０において、磁気ヘッド３２を磁気ディスク４上から外周側に退避させた状態で保持するランプ１３が設けられている。
【００１４】
図４(ａ)に示すように、ステータ４０Ｌは、プレート状のヨーク４１と、その上面に一体に設けられたプレート状の磁石４２とから構成されている。ヨーク４１は、磁石４２よりも外周側に張り出すように形成されており、ベース２１にこのステータ４０Ｌを固定するためのネジを通すネジ孔(図示無し)がその下面に形成され、さらに外周部の複数箇所に上方に向けて立ち上がる爪４３が形成されている。加えて、ヨーク４１には、後述するストッパ５０を取り付けるための孔４４が所定の位置に形成されている。
図３に示したように、上側のステータ４０Ｕは、下側のステータ４０Ｌと同様、プレート状のヨーク４６と、その下面に一体に設けられたプレート状の磁石(図示無し)とから構成されている。ヨーク４６には、その外周部に、下方に向けて延びる爪４７が設けられ、これらの爪４７と、下側のステータ４０Ｌの爪４３とによって、上側のステータ４０Ｕおよび下側のステータ４０Ｌの間隔が所定寸法に維持されるようになっている。さらにヨーク４６には、ディスクエンクロージャ２３を構成するカバー(図示無し)にステータ４０Ｕを固定するネジ(図示無し)の先端部をねじ込むためのネジ孔４８が形成されている。
【００１５】
ディスクエンクロージャ２３を構成するベース２１は、平面視略長方形で、その底面を形成する底板２１ａと、この底板２１ａの外周部において上方に立ち上がる周壁２１ｂとから形成されている。そして、底板２１ａ上において周壁２１ｂに囲まれた空間に、図１に示したように、磁気ディスク４、アクチュエータ３０、ステータ４０Ｌ、４０Ｕ等が収まるようになっており、周壁２１ｂの上面にカバー(図示無し)が取り付けられる構成となっている。
【００１６】
上記したようなハードディスクドライブ２０は、アクチュエータ３０の回動範囲を規制するストッパ５０を備えている。このストッパ５０は、アクチュエータ３０のコイル保持アーム３４Ａ、３４Ｂ間に位置している。ここで、コイル保持アーム３４Ａ、３４Ｂの先端部は、ピボット３１に対してボイスコイル３３よりも外周側に突出し、かつピボット３１の同一円周上に位置している。これに対し、ストッパ５０は、コイル保持アーム３４Ａ、３４Ｂの先端部と同一の円周上に位置するよう設けられている。
そして、図５(ａ)に示すように、ストッパ５０は、一方のコイル保持アーム(他方のアーム)３４Ａがストッパ５０に当たることによってアクチュエータ３０の磁気ディスク４の内周側への回動範囲を規制する。また、図５(ｂ)に示すように、このストッパ５０は、他方のコイル保持アーム３４Ｂ(一方のアーム)がストッパ５０に当たることによってアクチュエータ３０の磁気ディスク４の外周側への回動範囲を規制する。つまりこれにより、磁気ヘッド３２の磁気ディスク４に沿ったシーク範囲が規制されるのである。
【００１７】
図４(ｂ)に示すように、このストッパ５０は、下側のステータ４０Ｌの上面から上方に突出するよう設けられた柱状で、その側面には、アクチュエータ３０のコイル保持アーム３４Ａ、３４Ｂに対応した高さに、内周側ストッパ面(内周側規制部)５０Ａおよび外周側ストッパ面(外周側規制部)５０Ｂが形成されている。
図６、図７に示すように、内周側ストッパ面５０Ａは、平面視(アクチュエータ３０の旋回面と平行な面で断面視)すると、所定の曲率を有した略円弧状に形成されている。これにより内周側ストッパ面５０Ａは、アクチュエータ３０のコイル保持アーム３４Ａに対し、点あるいは線状に接触する構成となっている。
一方、外周側ストッパ面５０Ｂは平面状に形成されており、アクチュエータ３０のコイル保持アーム３４Ｂに対して面で接触する構成となっている。ここで、外周側ストッパ面５０Ｂの下側には、側方に張り出す張り出し部５１が形成されている。
【００１８】
また、このストッパ５０には、アクチュエータ３０のコイル保持アーム３４Ｂがストッパ５０に接触した状態を維持させるため、磁石(固定部材、吸着部材)５２が内蔵されている。すなわち、ストッパ５０には、上面に凹部５３が形成され、この凹部５３内に磁石５２が収められているのである。この凹部５３には、一対の爪５３ａがその内方に突出するよう形成され、これによって磁石５２の凹部５３からの脱落を防止する。
図７(ａ)に示したように、この磁石５２は平面視略矩形で、コイル保持アーム３４Ｂの吸着面５２ａが、ストッパ５０の外周側ストッパ面５０Ｂと略平行になるよう設けられている。ここで、磁石５２は、コイル保持アーム３４Ｂに対してその吸着力を有効に発揮させるため、外周側ストッパ面５０Ｂになるべく近づける、すなわちストッパ５０の外周側ストッパ面５０Ｂ側をなるべく薄肉に形成するのが好ましい。そして、図２に示したように、この磁石５２によって吸着されるアクチュエータ３０のコイル保持アーム３４Ｂには、ストッパ５０の外周側ストッパ面５０Ｂに対応した位置に、鉄片３５が設けられている。
【００１９】
図４に示したように、上記ストッパ５０は、下側のステータ４０Ｌに固定される。下側のステータ４０Ｌには略矩形状の孔４４が形成されており、この孔４４にストッパ５０が挿入されるのである。このため、ストッパ５０には、内周側ストッパ面５０Ａおよび外周側ストッパ面５０Ｂが形成された上部(当接部、ストッパ部)５０Ｕから下方に向けて、挿入部(固定部)５５が突出するよう形成されている。この挿入部５５は、平断面視矩形で、上部５０Ｕよりもその断面積が小さく形成されている。これにより、挿入部５５と上部５０Ｕとの間には段部５６が形成されている。
図７に示したように、挿入部５５は、段部５６からの突出寸法が、ステータ４０Ｌのヨーク４１の板厚よりも所定寸法大きくなるよう設定されている。これにより、挿入部５５をステータ４０Ｌの孔４４に挿入すると、その挿入寸法が段部５６によって規制され、この状態で挿入部５５の先端部５５ａはステータ４０Ｌよりも下方に突出するようになっている。ここで、挿入部５５の先端部５５ａには、面取部(テーパ部)５５ｂが形成されて、先端部５５ａに行くにしたがってその断面寸法が漸次小さくなるようになっている。これにより、ステータ４０Ｌの孔４４への挿入部５５の挿入を容易に行えるようになっている。
【００２０】
また、断面視矩形の挿入部５５の四つの側面には、外方側に突出する突出部(抜け防止部)５７Ａ、５７Ｂ、５７Ｃ、５７Ｄが形成されている。ここで、互いに対向する二つの側面に形成された突出部５７Ａ、５７Ｃは、段部５６からヨーク４１の板厚と略同寸法の位置に、挿入部５５の側面に略直交する係止面５８を有している。これにより、挿入部５５がステータ４０Ｌの孔４４に挿入された状態で係止面５８がヨーク４１の下面側に位置するので、これら突出部５７Ａ、５７Ｃは、挿入部５５が孔４４から抜けるのを防止するストッパとして機能する。挿入部５５の残る二つの側面に形成された突出部５７Ｂ、５７Ｄは、段部５６からヨーク４１の板厚と略同寸法あるいはこれよりも若干大きな寸法の位置に頂部５９を有し、この頂部５９から挿入部５５の側面に向けて傾斜面６０が形成された形状となっている。これにより、挿入部５５がステータ４０Ｌの孔４４に挿入された状態で、頂部５９がヨーク４１の下面側に位置し、その上側に形成された傾斜面６０により、ヨーク４１を段部５６側に引き寄せる力を挿入部５５に発揮させるようになっている。なお、これら突出部５７Ａ、５７Ｂ、５７Ｃ、５７Ｄは、挿入部５５の側面の幅全体に形成されているわけではなく、所要の機能が発揮できる最小限の幅で形成すれば良い。
さらに、図７(ｄ)に示すように、挿入部５５の先端面５５ｃには、所定の深さを有した凹部６１が形成されている。この凹部６１により、挿入部５５を孔４４に挿入するに際し、側方に張り出した突出部５７Ａ、５７Ｂ、５７Ｃ、５７Ｄの部分の内方への変形を許容する。これによって挿入部５５の孔４４に対する挿入が容易に行えるようになっている。
【００２１】
このような構造において、ストッパ５０は、下側のステータ４０Ｌに対し、挿入部５５が孔４４に挿入されることによって固定されている。アクチュエータ３０の回動時には、コイル保持アーム３４Ａ、３４Ｂがストッパ５０の上部５０Ｕに対し側方から当たることになり、これによって挿入部５５には孔４４からこれを引き抜くような力が作用する。挿入部５５に形成された５７Ａ、５７Ｂ、５７Ｃ、５７Ｄがこの力に抗し、ストッパ５０が孔４４から抜けるのを防止するのである。
ここで、ストッパ５０の上部５０Ｕは、コイル保持アーム３４Ａを受ける内周側ストッパ面５０Ａは外周側に張り出しているのに対し、反対側のコイル保持アーム３４Ｂを受ける外周側ストッパ面５０Ｂ側が薄肉となっている。このため、ストッパ５０の上部５０Ｕの下端部において、外周側ストッパ面５０Ｂよりも側方に張り出して形成された前記張り出し部５１により、コイル保持アーム３４Ａを内周側ストッパ面５０Ａで受けるときに、その支持力を向上させる構成となっている。
【００２２】
上述したような構成によれば、アクチュエータ３０のコイル保持アーム３４Ａ、３４Ｂ間に配置したストッパ５０により、アクチュエータ３０の内周側への回動、アクチュエータ３０の外周側への回動を規制し、ストッパ５０に内蔵された磁石５２により、アクチュエータ３０の磁気ヘッド３２をランプ１３上に保持することができるようになっている。このように、一つのストッパ５０で、三つの機能を兼ね備えるような構成とすることにより、ストッパ５０の取り付け作業が一度で済み、部品点数を削減するとともに作業効率を向上させることができ、ハードディスクドライブ２０の生産効率の向上およびコスト低減を図ることができる。また、ベース２１内の省スペース化にもなる。
また、ストッパ５０も、上部５０Ｕの一面側を内周側ストッパ面５０Ａ、他面側を外周側ストッパ面５０Ｂとしたので、非常に簡易な形状および構造とすることができ、この点においてもコスト低減に大きく寄与する。さらに、外周側ストッパ面５０Ｂは、平面により形成して薄肉化したので、磁石５２の吸磁力をアクチュエータ３０に対して有効に作用させ、アクチュエータ３０の保持を確実に行うことができる。これに対し、内周側ストッパ面５０Ａでは、ストッパ５０を外方に張り出した曲面形状とすることにより、ストッパ５０が肉厚となり、アクチュエータ３０が当たったときの衝撃吸収能力を大きくすることができる。
【００２３】
加えて、このようなストッパ５０は、下側のステータ４０Ｌに形成された孔４４に挿入部５５を挿入することによって固定される構成となっている。これにより、下側のステータ４０Ｌには、プレス加工によって孔４４を形成すれば良い。下側のステータ４０Ｌは、元々プレス加工によって製造されることが多く、この場合、ステータ４０Ｌの形成時に同時に孔４４を形成すれば良く、追加工の必要がない。加えて、プレス加工であれば、ストッパ５０の所要の位置決め精度は容易に確保することができる。これらにより、ストッパ５０の取り付けおよび位置決めに際し、コストを低減することができるのである。
【００２４】
なお、上記実施の形態では、ストッパ５０を下側のステータ４０Ｌに取り付ける構成としたが、これをベース２１に直接取り付ける構成とすることも可能である。
また、上記実施の形態では、アクチュエータ３０のコイル保持アーム３４Ａ、３４ＢをＰＰＳで形成する構成としたが、これを他の材質とすることは問題はない。
さらに、コイル保持アーム３４Ａ、３４Ｂをストッパ５０に当てる構成としたが、アクチュエータ３０側にコイル保持アーム３４Ａ、３４Ｂ以外に突起を設け、その突起をストッパ５０に当てる構成とすることもできる。
加えて、上記実施の形態では、ランプ１３上に磁気ヘッド３２を退避させるロード・アンロードタイプのハードディスクドライブ２０を例に挙げたが、ロード・アンロードタイプ以外のものにも同様の技術が適用できるのは言うまでもない。
これ以外にも、本発明の主旨を逸脱しない限り、上記実施の形態で挙げた構成を取捨選択したり、他の構成に適宜変更することが可能である。
【００２５】
【発明の効果】
以上説明したように、本発明によれば、ディスクドライブ装置やハードディスクドライブの製造工程の効率化、コスト低減、省スペース化等を図ることが可能となる。
【図面の簡単な説明】
【図１】  本実施の形態におけるハードディスクドライブ装置の構成を示す斜視図である。
【図２】  アクチュエータの斜視図である。
【図３】  ハードディスクドライブ装置において、アクチュエータおよびストッパの関係を示す斜視展開図である。
【図４】  ストッパのステータへの取り付け構造を示す図である。
【図５】  アクチュエータが、(ａ)回動範囲の内周側に位置している状態、(ｂ)回動範囲の外周側に位置している状態を示す平面図である。
【図６】  ストッパを、(ａ)斜め下方から見上げた図、(ｂ)斜め上方から見下げた図である。
【図７】  ストッパの、(ａ)平面図、(ｂ)正面図、(ｃ)側面図、(ｄ)底面図である。
【図８】  従来のハードディスクドライブ装置の構成を示す図である。
【符号の説明】
４…磁気ディスク(ディスク状媒体)、１３…ランプ、２０…ハードディスクドライブ(ディスクドライブ装置)、２１…ベース、２３…ディスクエンクロージャ(筐体)、３０…アクチュエータ、３１…ピボット(回動軸)、３２…磁気ヘッド(ヘッド)、３３…ボイスコイル(コイル)、３４Ａ…コイル保持アーム(受け部、アーム、他方のアーム)、３４Ｂ…コイル保持アーム(受け部、アーム、一方のアーム)、４０Ｌ…ステータ、４１…ヨーク、４２…磁石、４４…孔、５０…ストッパ、５０Ａ…内周側ストッパ面(内周側規制部)、５０Ｂ…外周側ストッパ面(外周側規制部)、５０Ｕ…上部(当接部、ストッパ部)、５１…張り出し部、５２…磁石(固定部材、吸着部材)、５５…挿入部(固定部)、５５ａ…先端部、５５ｂ…面取部(テーパ部)、５７Ａ、５７Ｂ、５７Ｃ、５７Ｄ…突出部(抜け防止部)、６１…凹部
【図１】
0004028714.tif 000002
【図２】
0004028714.tif 000003
【図３】
0004028714.tif 000004
【図４】
0004028714.tif 000005
【図５】
0004028714.tif 000006
【図６】
0004028714.tif 000007
【図７】
0004028714.tif 000008
【図８】
0004028714.tif 000009